(57)【要約】【課題】  スイング時の蹴り足の動作を阻害せず、スムーズな体重移動を実現できるゴルフシューズのソール構造体を提供する。【解決手段】  ゴルフシューズＳのソール構造体１において、軟質弾性部材製のミッドソール２と、ミッドソール２の下側に配置され、ミッドソール２よりも高硬度の硬質弾性部材製のアウトソール３とを設ける。アウトソール３は、着用者の足の拇指球部領域ＴＥと子指球部領域ＨＥの間を通りかつ内甲側端および外甲側端に開口するとともに内甲側端から外甲側端に向かって実質的に斜め前方に延びる第１の溝２２を有している。第１の溝２２によってアウトソール３が分断されており、分断された各アウトソールがミッドソール２を介して連結されている。【選択図】  図８
2016209482.tif 000002
【特許請求の範囲】
【請求項１】
ゴルフシューズのソール構造体であって、
軟質弾性部材から構成されたミッドソールと、
前記ミッドソールの下側に配置され、前記軟質弾性部材よりも高硬度の硬質弾性部材から構成されたアウトソールとを備え、
前記アウトソールは、着用者の足の拇指球部領域と子指球部領域の間を通りかつ内甲側端および外甲側端に開口するとともに内甲側端から外甲側端に向かって実質的に斜め前方に延びる第１の溝を有しており、前記第１の溝によって当該アウトソールが分断されるとともに、分断された各アウトソールが前記ミッドソールを介して連結されている、
ことを特徴とするゴルフシューズのソール構造体。
【請求項２】
請求項１において、
前記第１の溝の外甲側端の位置が内甲側端の位置よりも前方に配置されている、
ことを特徴とするゴルフシューズのソール構造体。
【請求項３】
請求項１において、
前記第１の溝が、前記拇指球部領域および前記子指球部領域の間で、当該ソール構造体の前後方向中心線に対して傾斜して配設されている、
ことを特徴とするゴルフシューズのソール構造体。
【請求項４】
請求項１において、
前記第１の溝が概略Ｓ字状に配設されている、
ことを特徴とするゴルフシューズのソール構造体。
【請求項５】
請求項１において、
前記第１の溝の内甲側端の位置が、足の踵骨の載距突起に対応する位置から拇指球部領域の後側周縁部に対応する位置までの領域内に配置されており、前記第１の溝の外甲側端の位置が、子指球部領域の前側周縁部に対応する位置から第１趾末節骨の先端位置と同じ前後方向位置に至る領域内に配置されている、
ことを特徴とするゴルフシューズのソール構造体。
【請求項６】
請求項１において、
当該ソール構造体の内旋時の捩り剛性が外旋時の捩り剛性よりも小さくなっている、  
ことを特徴とするゴルフシューズのソール構造体。
【請求項７】
請求項１において、
前記アウトソールが、拇指球部領域に対応する位置および子指球部領域に対応する位置にそれぞれクリーツを有している、
ことを特徴とするゴルフシューズのソール構造体。
【請求項８】
請求項１において、
前記アウトソールは、前記第１の溝の前方に第２の溝を有しており、前記第２の溝が、内甲側端および外甲側端に開口するとともに内甲側端から外甲側端に向かって実質的に斜め前方に延びており、前記第２の溝によって当該アウトソールが分断されるとともに、分断された各アウトソールが前記ミッドソールを介して連結されている、
ことを特徴とするゴルフシューズのソール構造体。
【発明の詳細な説明】
【技術分野】
【０００１】
本発明は、ゴルフシューズのソール構造体に関し、詳細には、スイング時の蹴り足の動作を阻害せず、スムーズな体重移動を実現するための構造の改良に関する。
【背景技術】
【０００２】
ゴルフシューズのソール構造体として、たとえば特開２００１−２２４４０４号公報には、ミッドソールおよびアウトソールを積層したものにおいて、アウトソールを複数のアウトソール部分に分割形成したものが記載されている。アウトソールは、爪先部アウトソール、中央部内側アウトソール、中央部外側アウトソールおよび踵部アウトソールから構成されている。爪先部アウトソールおよび中央部内外側アウトソール間には前方に凸状に湾曲しつつ幅方向に延びる溝が形成され、爪先部アウトソールには前後方向の溝が形成され、中央部内側アウトソールおよび中央部外側アウトソール間には、前後方向の溝が形成されている。また、中央部内側領域には、アウトソールが配置されていない広い領域が形成されている（同公報の段落［００１７］、［００２１］、［００２３］および［００２４］、ならびに図１参照）。
【０００３】
上記公報には、爪先部アウトソールおよび中央部内外側アウトソール間の幅方向の溝によって、歩行時におけるソール前側の屈曲性が向上し、爪先部アウトソールの前後方向の溝によって、歩行時における爪先部アウトソールの屈曲性が向上すると記載されており（同公報の段落［００２１］参照）、また、中央部内側アウトソールおよび中央部外側アウトソール間の前後方向の溝によって、スイング時にソールに体重のアンバランスな分布が生じた場合でもいずれかのアウトソールのみが変形してソール全体に反りが生じるのが抑制されると記載されている（同公報の段落［００２３］参照）。また、中央部内側領域においてアウトソールが配置されていない広い領域により、実際の裸足での接地感覚と同様のフィーリングが得られると記載されている（同公報の段落［００２４］参照）。
【発明の概要】
【発明が解決しようとする課題】
【０００４】
しかしながら、上記公報に記載のソール構造体においては、スイング時の蹴り足の動作を阻害せずにスムーズな体重移動を実現するといった観点からの記載はなく、その示唆もない。スイング時の蹴り足の動作を円滑に行わせるには、スイング時に蹴り足が内旋する（つまり蹴り足の拇指球部が接地した状態で後足部および子指球部が離地する）必要があるが、上記公報に記載のものでは、爪先部アウトソールおよび中央部外側アウトソール間の溝が外甲側端から幅方向中央部にかけて斜め前方に向かって延びており、このような溝によっては、スイング時の蹴り足の内旋が阻害される。さらに、上記公報に記載のものでは、アウトソールの爪先部から中足部にかけて前後方向の溝が形成されており、そのため、スイング時に軸足の拇指球部を含む内甲側領域が容易に上方に変形して（つまり外旋を起こして）軸足が捲れる可能性が高い。
【０００５】
本発明は、このような従来の実情に鑑みてなされたもので、本発明が解決しようとする課題は、スイング時の蹴り足の動作を阻害せず、スムーズな体重移動を実現できるゴルフシューズのソール構造体を提供することにある。また本発明は、このようなソール構造体において、軸足の捲れを防止でき、スイングを安定して行えるゴルフシューズのソール構造体を提供しようとしている。
【課題を解決するための手段】
【０００６】
本発明に係るゴルフシューズのソール構造体は、軟質弾性部材から構成されたミッドソールと、ミッドソールの下側に配置されかつ前記軟質弾性部材よりも高硬度の硬質弾性部材から構成されたアウトソールとを備えている。アウトソールは、着用者の足の拇指球部領域と子指球部領域の間を通りかつ内甲側端および外甲側端に開口するとともに、内甲側端から外甲側端に向かって実質的に斜め前方に延びる第１の溝を有している。第１の溝によってアウトソールが分断されるとともに、分断された各アウトソールがミッドソールを介して連結されている（請求項１参照）。
【０００７】
本発明によれば、アウトソールの第１の溝が、足の拇指球部領域と子指球部領域の間を通り、内甲側端から外甲側端に向かって実質的に斜め前方に延びているので、スイング時の蹴り足の内旋の際に蹴り足の拇指球部が接地した状態で後足部および子指球部が離地しようとしたとき、後足部および子指球部の上方への変形を第１の溝に沿ってスムーズに行うことができ、これにより、蹴り足の動作を阻害することなく、蹴り足の内旋を促進でき、その結果、スムーズな体重移動を実現できるようになる。しかも、本発明では、第１の溝が内甲側端および外甲側端に開口しているので、後足部および子指球部の上方への変形をよりスムーズに行える。さらに、本発明では、第１の溝によってアウトソールが分断されるとともに、分断された各アウトソールが軟質弾性部材製のミッドソールを介して連結されているので、後足部および子指球部の上方への変形を一層スムーズに行えるようになる。
【０００８】
また、本発明によれば、第１の溝が内甲側端から外甲側端に向かって実質的に斜め前方に延びていることにより、スイング時に軸足が外旋を起こそうとして軸足の拇指球部を含む内甲側領域が上方に変形しようとした場合でも、そのような変形を起こしやすい方向に第１の溝が配設されていないので、軸足の外旋を防止して軸足の捲れを防止でき、その結果、スイングを安定して行えるようになる。
【０００９】
本発明では、第１の溝の外甲側端の位置が内甲側端の位置よりも前方に配置されている（請求項２参照）。これにより、スイング時の蹴り足の内旋をよりスムーズに行えるようになるとともに、軸足の外旋をより効果的に防止できるようになる。
【００１０】
本発明では、第１の溝が、拇指球部領域および子指球部領域の間で、ソール構造体の前後方向中心線に対して傾斜して配設されている（請求項３参照）。
【００１１】
本発明では、第１の溝が概略Ｓ字状に配設されている（請求項４参照）。
【００１２】
本発明では、第１の溝の内甲側端の位置が、足の踵骨の載距突起に対応する位置から拇指球部領域の後側周縁部に対応する位置までの領域内に配置されており、第１の溝の外甲側端の位置が、子指球部領域の前側周縁部に対応する位置から第１趾末節骨の先端位置と同じ前後方向位置に至る領域内に配置されている（請求項５参照）。
【００１３】
本発明では、ソール構造体の内旋時の捩り剛性が外旋時の捩り剛性よりも小さくなっている（請求項６参照）。これにより、スイング時の蹴り足の内旋をよりスムーズに行えるようになるとともに、軸足の外旋をより効果的に防止できる。
【００１４】
本発明では、アウトソールが、拇指球部領域に対応する位置および子指球部領域に対応する位置にそれぞれクリーツを有している（請求項７参照）。
【００１５】
本発明では、アウトソールが第１の溝の前方に第２の溝を有しており、第２の溝が、内甲側端および外甲側端に開口するとともに内甲側端から外甲側端に向かって実質的に斜め前方に延びており、第２の溝によって当該アウトソールが分断されるとともに、分断された各アウトソールが前記ミッドソールを介して連結されている（請求項８参照）。
【００１６】
本発明によれば、スイング時の蹴り足の内旋の際には、後足部および子指球部の上方への変形が第１の溝に沿って行われるとともに、第１の溝の前方の第２の溝に沿っても行われるので、蹴り足の内旋を段階的によりスムーズに行えるようになる。また、第２の溝に関しても、第１の溝と同様に、内甲側端および外甲側端に開口しており、さらに第２の溝によって分断された各アウトソールが軟質弾性部材製のミッドソールを介して連結されているので、後足部および子指球部の上方への変形をより一層スムーズに行えるようになる。その一方、第２の溝についても、内甲側端から外甲側端に向かって実質的に斜め前方に延びており、スイング時の軸足の外旋を起こしやすい方向に配設されていないので、第２の溝を設けたことでスイング時の軸足の外旋が助長されることはなく、第１の溝と同様に、軸足の外旋を防止して軸足の捲れを防止できる。
【発明の効果】
【００１７】
以上のように、本発明に係るゴルフシューズのソール構造体によれば、足の拇指球部領域と子指球部領域の間を通り、内甲側端から外甲側端に向かって実質的に斜め前方に延びる第１の溝をアウトソールに設けるようにしたので、スイング時の蹴り足の内旋の際に蹴り足の拇指球部が接地した状態で後足部および子指球部が離地しようとしたとき、後足部および子指球部の上方への変形を第１の溝に沿ってスムーズに行うことができ、これにより、蹴り足の動作を阻害することなく、蹴り足の内旋を促進でき、その結果、スムーズな体重移動を実現できるようになる。しかも、本発明では、第１の溝が内甲側端および外甲側端に開口しているので、後足部および子指球部の上方への変形をよりスムーズに行える。さらに、本発明では、第１の溝によってアウトソールが分断されるとともに、分断された各アウトソールが軟質弾性部材製のミッドソールを介して連結されているので、後足部および子指球部の上方への変形を一層スムーズに行えるようになる。また、本発明では、第１の溝が内甲側端から外甲側端に向かって実質的に斜め前方に延びているので、スイング時に軸足の外旋を防止して軸足の捲れを防止でき、その結果、スイングを安定して行えるようになる。
【図面の簡単な説明】
【００１８】
【図１】本発明の一実施例によるゴルフシューズ（左足用）のソール構造体の底面概略図である。
【図２】前記ソール構造体（図１）の内甲側側面図である。
【図３】前記ソール構造体（図１）の外甲側側面図である。
【図４】図１のIV-IV線断面図である。
【図５】図１のV-V線断面図である。
【図６】前記ソール構造体（図１）の平面概略図である。
【図７】本発明の一実施例によるゴルフシューズ（右足用）のソール構造体の底面概略図である。
【図８】前記ソール構造体（図１）と着用者の足の骨格構造との位置関係を示す図である。
【図９】前記ゴルフシューズ（図１）について内旋および外旋時の捩りモーメントを測定するためのトーション試験機の概要を説明するための正面概略図である。
【図１０】前記トーション試験機の側面概略図である。
【図１１】前記トーション試験機によるトーション試験結果を示す表である。
【図１２】前記トーション試験機による別のトーション試験結果を示す表である。
【図１３】前記ソール構造体（図１）の溝の変形例を示す図である。
【図１４】前記ソール構造体（図１）の溝の他の変形例を示す図である。
【図１５】前記ソール構造体（図１）の溝のさらに他の変形例を示す図である。
【図１６】前記ソール構造体（図１）の溝の別の変形例を示す図である。
【図１７】前記ソール構造体（図１）の溝のさらに別の変形例を示す図である。
【発明を実施するための形態】
【００１９】
以下、本発明の実施例を添付図面に基づいて説明する。
図１ないし図１２は本発明の一実施例によるゴルフシューズ用ソール構造体を示している。これらの図において、図１〜図６および図８〜図１０は左足用（つまり右利きのプレーヤーの軸足用）のゴルフシューズのソール構造を示しており、図７は右足用（つまり右利きのプレーヤーの蹴り足用）のゴルフシューズのソール構造を示している。なお、左利きのプレーヤー用のゴルフシューズについては、右利きのプレーヤー用のソール構造体と同様のものが用いられる。また、以下の説明文中、前方（前側/前）および後方（後側/後）とは、ソール前後方向の位置関係を表し、上方（上側/上）および下方（下側/下）とは、ソール上下方向の位置関係を表し、幅方向とはソール左右方向を指すものとする。
【００２０】
図１ないし図７に示すように、ソール構造体１は、上側に配置されたミッドソール２と、ミッドソール２の下側に配置されたアウトソール３とを有している（とくに図４および図５参照）。
【００２１】
ミッドソール２は、好ましくは、ソール構造体１の踵領域から前足領域まで前後方向に延設されており、着用者の足裏当接面を構成する上面２０を有している。上面２０の前足領域における外甲側周縁部の一部および踵領域の外周周縁部には、上方に立ち上げる巻上げ部２１が設けられている（とくに図５および図６参照）。上面２０および各巻上げ部２１には、図示しないアッパー（甲被部）の下面が接着等で固着されるようになっている。
【００２２】
ミッドソール２は、軟質弾性部材から構成されており、具体的には、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。ミッドソール２の硬度は、アスカーＣスケールでたとえば５０〜７０Ｃ（具体的には６０Ｃなど）に設定されている。
【００２３】
アウトソール３は、好ましくは、ソール構造体１の踵領域、中足領域および前足領域に設けられており、ミッドソール２の下面が当接する上面３０を有している。上面３０は、この例では、ミッドソール２を収容する凹部から構成されている（とくに図４および図５参照）。上面３０の前足領域のつま先部外周周縁部、前足領域における外甲側周縁部の一部および踵領域の外周周縁部には、上方に立ち上げる巻上げ部３１が設けられている（とくに図３ないし図６参照）。上面３０および各巻上げ部３１には、ミッドソール２の下面および対応する各巻上げ部２１の外側面が接着や二色成形等で固着されるようになっている。
【００２４】
アウトソール３は、ミッドソール２よりも高硬度の硬質弾性部材から構成されており、具体的には、熱可塑性ポリウレタン（ＴＰＵ）やポリアミド（ＰＡ）、ポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。アウトソール３の硬度は、アスカーＤスケールでたとえば４０〜７５Ｄ（具体的には５０Ｄなど）に設定されている。また、アウトソール３は、ソリッドラバーから構成されていてもよく、この場合、アウトソール３の硬度は、アスカーＡスケールでたとえば６０〜７５Ａに設定される。
【００２５】
アウトソール３の底面には、クリーツ（図示せず）を取り付けるための複数のクリーツ取付部４０〜４６が設けられている。この例では、前足領域に５個のクリーツ取付部４０〜４４が設けられ、踵領域に２個のクリーツ取付部４５、４６が設けられている。後述するように、これらのクリーツ取付部４０〜４６のうち、クリーツ取付部４３は着用者の足の拇指球部領域に対応する位置に配置されており、クリーツ取付部４４は子指球部領域に対応する位置に配置されている。クリーツ取付部４０〜４６はクリーツ（スパイク）を着脱自在に取り付けるためのものであるが、アウトソール３の底面には、このような着脱自在なクリーツとは別に、アウトソール３の底面に固着されたまたは底面と一体成形された複数のクリーツ３２、３３が設けられている。
【００２６】
アウトソール３の底面には、第１の溝２２が設けられている。第１の溝２２は、クリーツ取付部４３、４４の間（つまり足の拇指球部領域と子指球部領域の間）を通り、内甲側端および外甲側端に開口するとともに、内甲側端から外甲側端に向かって実質的に斜め前方に延びている（とくに図１および図７参照）。ここで、「実質的に」という文言を入れたのは、第１の溝２２の傾きは、この例に示すように、内甲側から外甲側に向かうにしたがい変化してもよいが、その場合でも、傾きが内甲側から外甲側に向かって斜め後方に変化する場合を含まない趣旨である。第１の溝２２の内甲側端から外甲側端に至る経路は、この例では、右上がりに延びており、クリーツ取付部４３、４４の間（つまり足の拇指球部領域と子指球部領域の間）で前後方向中心線ＣＬに対して傾斜して配設され、前後方向中心線ＣＬに対して斜めに交差している。
【００２７】
第１の溝２２の外甲側端２２Ｌの位置は、内甲側端２２Ｍの位置よりも前方に配置されている。第１の溝２２は、この例では、概略Ｓ字状に配設されている。より詳細には、右利きのプレーヤーの左足用シューズの場合には、第１の溝２２は底面視略Ｓ字状に湾曲しつつ配設されており（図１参照）、右利きのプレーヤーの右足用シューズの場合には、第１の溝２２は底面視略逆Ｓ字状に湾曲しつつ配設されている（図７参照）。
【００２８】
アウトソール３は第１の溝２２によって前後方向に分断されており、分断された各アウトソール（つまり第１の溝２２の前側のアウトソール部分と後側のアウトソール部分）は、第１の溝２２が形成されたミッドソール２によって連結されている。すなわち、アウトソール３の前側アウトソール部分および後側アウトソール部分は、第１の溝２２に相当する間隙を介して前後に分断して配置されており、ミッドソール２の下面に形成された第１の溝２２の一対の側壁部２２ａ（図１、図４および図７参照）がアウトソール３の前記間隙に挿入されるとともに、各側壁部２２ａの外側面に前側アウトソール部分および後側アウトソール部分の各端面が固着されている。
【００２９】
アウトソール３の底面において、第１の溝２２の前方には、第２の溝２３が設けられている。第２の溝２３は、第１の溝２２と同様に、内甲側端および外甲側端に開口するとともに、内甲側端から外甲側端に向かって実質的に斜め前方に延びている（とくに図１および図７参照）。ここで、「実質的に」という文言を入れたのは、第１の溝２２の場合と同様であって、第２の溝２３の傾きは、この例に示すように、内甲側から外甲側に向かうにしたがい変化してもよいが、その場合でも、傾きが内甲側から外甲側に向かって斜め後方に変化する場合を含まない趣旨である。第２の溝２３の内甲側端から外甲側端に至る経路は、この例では、右上がりに延びており、クリーツ取付部４１、４２の間で前後方向中心線ＣＬに対して傾斜して配設され、前後方向中心線ＣＬに対して斜めに交差している。
【００３０】
第２の溝２３の外甲側端２３Ｌの位置は、内甲側端２３Ｍの位置よりも前方に配置されている。第２の溝２３は、この例では、概略Ｓ字状に配設されている。より詳細には、右利きのプレーヤーの左足用シューズの場合には、第２の溝２３は底面視略Ｓ字状に湾曲しつつ配設されており（図１参照）、右利きのプレーヤーの右足用シューズの場合には、第２の溝２３は底面視略逆Ｓ字状に湾曲しつつ配設されている（図７参照）。
【００３１】
アウトソール３は第２の溝２３によって前後方向に分断されており、分断された各アウトソール（つまり第２の溝２３の前側のアウトソール部分と後側のアウトソール部分）は、第２の溝２３が形成されたミッドソール２によって連結されている。すなわち、アウトソール３の前側アウトソール部分および後側アウトソール部分は、第２の溝２３に相当する間隙を介して前後に分断して配置されており、ミッドソール２の下面に形成された第２の溝２３の一対の側壁部２３ａ（図１、図４および図７参照）がアウトソール３の前記間隙に挿入されるとともに、各側壁部２３ａの外側面に前側アウトソール部分および後側アウトソール部分の各端面が固着されている。
【００３２】
図８は、本実施例によるソール構造と足の骨格構造との位置関係を示す底面概略図である。同図において、第１趾基節骨ＰＰ１と第１趾中足骨ＭＢ１との間の第１中足趾節関節ＭＪ１の周囲に分布する円形状の一点鎖線領域が拇指球部領域ＴＥであり、同様に、第５趾基節骨ＰＰ５と第５趾中足骨ＭＢ５との間の第５中足趾節関節ＭＪ５の周囲に分布する円形状の一点鎖線領域が子指球部（小指球部）領域ＨＥである。また、踵骨ＣＣの載距突起部分ＳＴを円形の斜線領域で示している。なお、同図中、ＣＵは立方骨を示し、ＮＡは舟状骨を示している。
【００３３】
第１の溝２２の内甲側端２２Ｍは、この例では、その中心線２２Ｃの位置が踵骨ＣＣの載距突起ＳＴに対応する位置から拇指球部領域ＴＥの後側周縁部に対応する位置までの領域内の略中間位置に配置されているが、内甲側端２２Ｍの中心線２２Ｃの位置は当該領域内のいずれかの位置に配置されていればよい。ここで、載距突起部分ＳＴおよび拇指球部領域ＴＥに着目したのは、バックスイングからフォワードスイングに移行する際において、足の踵領域の地面に対する荷重の載荷位置が載距突起部分ＳＴに対応しており、足の前足領域の地面に対する荷重の載荷位置が拇指球部領域ＴＥに対応しているからである。
【００３４】
第１の溝２２の外甲側端２２Ｌは、この例では、その中心線２２Ｃの位置が第５趾中節骨ＭＰ５に対応する位置に配置されているが、外甲側端２２Ｌの中心線２２Ｃの位置は、子指球部領域ＨＥの前側周縁部に対応する位置から前側の領域に配置されていればよい。より詳細には、第１趾末節骨ＤＰ１の先端を通って前後方向中心線ＣＬに直交する幅方向の直線Ｄを引くとき、外甲側端２２Ｌの中心線２２Ｃの位置は、直線Ｄから子指球部領域ＨＥの前側周縁部に対応する位置までの領域内のいずれかの位置に配置されていればよい。ここで、第１趾末節骨ＤＰ１の先端を通る幅方向の直線Ｄに着目したのは、バックスイングからフォワードスイングに移行する際において、足の拇指球部領域ＴＥおよび第１趾足指で荷重を支えている状態で後足部および子指球部が第１の溝２２に沿って上方に変形するとき、第１の溝２２の外甲側端２２Ｌの中心線２２Ｃの位置が第１趾末節骨ＤＰ１の先端位置と同じ前後方向位置かまたはそれよりも後側に配置されている方が、後足部および子指球部の第１の溝２２に沿った上方への変形がより効果的に行われると考えられるからである。
【００３５】
第２の溝２３の内甲側端２３Ｍは、この例では、その中心線２３Ｃの位置が拇指球部領域ＴＥの領域内に配置されているが、内甲側端２３Ｍの中心線２３Ｃの位置は当該領域よりも前側の位置に配置されていてもよい。第２の溝２３の外甲側端２３Ｌは、この例では、その中心線２３Ｃの位置が、第１趾末節骨ＤＰ１の先端を通る幅方向の直線Ｄの直近近傍の位置に配置されているが、外甲側端２３Ｌの中心線２３Ｃの位置は、少なくとも第１の溝２２の前方であって直線Ｄの後側の領域内（直線Ｄを含む）に配置されていればよい。
【００３６】
内甲側端２２Ｍから外甲側端２２Ｌに向かって概略Ｓ字状に湾曲しつつ延びる第１の溝２２の湾曲の振れ幅は（第２の溝２３についても同様）、内甲側端２２Ｍの中心線２２Ｃの位置および外甲側端２２Ｌの中心線２２Ｃの位置を通る仮想の中心線をひくとき、当該中心線を基準とするΔの領域に第１の溝２２の中心線２２Ｃが配置されていればよい。ここで、Δの値としては、好ましくは、
０≦Δ≦３０［ｍｍ］
に設定される。なお、この例ではΔ≒２０ｍｍに設定されている。また、Δ＝０は第１の溝２２が直線であることを表している。Δ≦３０ｍｍにしたのは、Δが３０ｍｍを超えると、第１の溝２２に沿ったソールの屈曲が円滑に行えなくなる恐れがあるためである。
【００３７】
クリーツ取付部４３およびこれに装着されるクリーツは、拇指球部領域ＴＥに対応する位置に配置されており、クリーツ取付部４４およびこれに装着されるクリーツは、子指球部領域ＨＥに対応する位置に配置されている。
【００３８】
ソール構造体１の内旋時の捩り剛性は、外旋時の捩り剛性よりも小さくなっている。これを図９および図１０中に一点鎖線で示すトーション試験機を用いて説明する。
このトーション試験機は、ゴルフシューズＳの内旋および外旋時の捩りモーメントを測定するための装置であって、シューズＳの踵領域が載置されるベース部１００と、ベース部１００の上方に設けられ、上下方向に延びるとともに下端に当接プレート１０１Ａを有する昇降可能な昇降ロッド１０１と、シューズＳの前足領域におけるアッパー（甲被部）Ｕおよびソール構造体１を上下からクランプするように、シューズ幅方向に延びる一対のクランプロッド１０２、１０３と、各クランプロッド１０２、１０３に連結され、前後方向に延びるとともにロードセル（図示せず）を介して駆動モータ（図示せず）に連結された連結ロッド１１０とを有している。
【００３９】
昇降ロッド１０１の当接プレート１０１Ａは、シューズＳの開口部Ｓａ内に挿入されて、シューズＳ内部の足裏当接面Ｓｂに当接するように設けられている。各クランプロッド１０２、１０３の両端側には、一対のプレート１０４が配置されている。クランプロッド１０２は、図示しない昇降機構を介して各プレート１０４に昇降可能に設けられており、クランプロッド１０３に対して接近・離反可能になっている。クランプロッド１０３は、各プレート１０４に支持されている。各クランプロッド１０２、１０３は、各プレート１０４に連結された連結部材１０５を介して連結ロッド１１０に連結されている。
【００４０】
このようなトーション試験機を用いたトーション試験においては、シューズＳの踵領域を昇降ロッド１０１によりベース部１００に固定した状態で、駆動モータにより連結ロッド１１０をいずれかの向きに回転させることにより、シューズＳを内旋または外旋させ、そのときの捩りモーメントをロードセルにより測定するようにしている。図９および図１０に示すものでは、シューズＳとして左足用のシューズを用いており、図１０中の矢印ａで示す回転方向が内旋方向であり、矢印ｂで示す回転方向が外旋方向である。ここでは、いずれの方向についても、捩り角を２０°とした場合の捩りモーメントを測定した。また、各クランプロッド１０２、１０３によるシューズＳのクランプ位置は、シューズＳの踵後端から足長Ｌの６５％の位置（つまりＬ１＝０．６５Ｌの位置）と足長Ｌの８０％の位置（つまりＬ２＝０．８０Ｌの位置）との２個所の位置に設定し（図１中の一点鎖線Ｌ１、Ｌ２参照）、それぞれの位置において捩りモーメントを測定した。
【００４１】
各位置でのトーション試験を内旋および外旋の双方について１０回ずつ行ってそれぞれの捩りモーメントを測定するとともに、同様の試験を右足用のシューズについても行い、左右のシューズについて各位置での捩りモーメントの平均値を算出した。また、同様の試験を２足のシューズについて行って（つまりサンプル数は２足）、２足のシューズの各位置での捩りモーメントの平均値を算出した。図１１（６５％位置固定）および図１２（８０％位置固定）中には、このような捩りモーメントの平均値が記入されている。同様の試験を従来品についても行った。
【００４２】
踵後端から０．６５Ｌの位置でクランプした場合には、本実施例品および従来品１〜４の内旋時および外旋時の捩りモーメント（平均値）は、図１１に示すような値になっており、内旋時および外旋時の各捩りモーメントの差をとると、本実施例品の場合が最も差が大きくなった。同様に、踵後端から０．８０Ｌの位置でクランプした場合には、本実施例品および従来品１〜４の内旋時および外旋時の捩りモーメント（平均値）は、図１２に示すような値になっており、内旋時および外旋時の各捩りモーメントの差をとると、本実施例品の場合が最も差が大きくなった。
【００４３】
これらのことより、本実施例によるソール構造体１においては、内旋時の捩り剛性が外旋時の捩り剛性より小さく、しかもその差が大きくなっている。すなわち、ソール構造体１は内旋が起こりやすく、外旋が起こりにくくなっている。
【００４４】
このような本実施例によれば、アウトソール３の第１の溝２２が、足の拇指球部領域ＴＥと子指球部領域ＨＥの間を通り、内甲側端から外甲側端に向かって実質的に斜め前方に延びているので、スイング時の蹴り足の内旋の際に蹴り足の拇指球部が接地した状態で後足部および子指球部が離地しようとしたとき、後足部および子指球部の上方への変形を第１の溝２２に沿ってスムーズに行うことができ、これにより、蹴り足の動作を阻害することなく、蹴り足の内旋を促進でき、その結果、スムーズな体重移動を実現できるようになる。しかも、本実施例では、第１の溝２２が内甲側端および外甲側端に開口しているので、後足部および子指球部の上方への変形をよりスムーズに行える。さらに、本実施例では、第１の溝２２によってアウトソール３が分断されるとともに、分断された各アウトソールが軟質弾性部材製のミッドソール２を介して連結されているので、後足部および子指球部の上方への変形を一層スムーズに行えるようになる。
【００４５】
さらに、本実施例によれば、第１の溝２２が内甲側端から外甲側端に向かって実質的に斜め前方に延びていることにより、スイング時に軸足が外旋を起こそうとして軸足の拇指球部を含む内甲側領域が上方に変形しようとした場合でも、そのような変形を起こしやすい方向に第１の溝２２が配設されていないので、軸足の外旋を防止して軸足の捲れを防止でき、その結果、スイングを安定して行えるようになる。
【００４６】
また、本実施例では、第１の溝２２の外甲側端の位置が内甲側端の位置よりも前方に配置されているので、スイング時の蹴り足の内旋をよりスムーズに行えるようになるとともに、軸足の外旋をより効果的に防止できるようになる。
【００４７】
本実施例では、ソール構造体１の内旋時の捩り剛性が外旋時の捩り剛性よりも小さくなっているので、スイング時の蹴り足の内旋をよりスムーズに行えるようになるとともに、軸足の外旋をより効果的に防止できる。
【００４８】
本実施例では、アウトソール３が第１の溝２２の前方に第２の溝２３を有しており、第２の溝２３が、内甲側端および外甲側端に開口しかつ内甲側端から外甲側端に向かって実質的に斜め前方に延びており、第２の溝２３によって当該アウトソール３が分断されるとともに、分断された各アウトソールがミッドソール２を介して連結されているので、スイング時の蹴り足の内旋の際には、後足部および子指球部の上方への変形が第１の溝２２に沿って行われるとともに、第１の溝２２の前方の第２の溝２３に沿っても行われるので、蹴り足の内旋を段階的によりスムーズに行えるようになる。
【００４９】
また、第２の溝２３に関しても、第１の溝２２と同様に、内甲側端および外甲側端に開口しており、さらに第２の溝２３によって分断された各アウトソールが軟質弾性部材製のミッドソール２を介して連結されているので、後足部および子指球部の上方への変形をより一層スムーズに行えるようになる。その一方、第２の溝２３についても、内甲側端から外甲側端に向かって実質的に斜め前方に延びており、スイング時の軸足の外旋を起こしやすい方向に配設されていないので、第２の溝２３を設けたことでスイング時の軸足の外旋が助長されることはなく、第１の溝２２と同様に、軸足の外旋を防止して軸足の捲れを防止できる。
【００５０】
以上、本発明に好適な実施例について説明したが、本発明の適用はこれに限定されるものではなく、本発明には種々の変形例が含まれる。以下に変形例のいくつかの例を挙げておく。なお、変形例を示す図面において、前記実施例と同一符号は同一または相当部分を示している。また、以下の各図においては、第１、第２の溝２２、２３を太線で模式的に表している。
【００５１】
＜第１の変形例＞
前記実施例では、第１および第２の溝２２、２３が概略Ｓ字状になだらかに湾曲している例を示したが（図１、図７参照）、本発明の適用はこれに限定されない。第１、第２の溝２２、２３は、図１３に示すように、なだらかに湾曲していなくてもよい。同図に示すものでは、各溝２２、２３がそれぞれ３本の直線状の溝部分を概略Ｚ字状に連結して構成されている。あるいは、第１、第２の溝２２、２３のうちのいずれか一方が概略Ｓ字状になだらかに湾曲して配設され、他方が概略Ｚ字状に配設されていてもよい。
【００５２】
＜第２の変形例＞
前記実施例では、第１および第２の溝２２、２３が概略Ｓ字状に配設され（図１、図７参照）、前記第１の変形例では、第１および第２の溝２２、２３が概略Ｚ字状に配設された例を示したが（図１３参照）、本発明の適用はこれらに限定されない。第１、第２の溝２２、２３は、図１４に示すように、各内甲側端２２Ｍ、２３Ｍから各外甲側端２２Ｌ、２３Ｌに向かっていずれも直線状に配設されていてもよく、その場合に、各溝２２、２３が互いに平行に配設されていてもよい。あるいは、第１、第２の溝２２、２３のうちのいずれか一方が直線状に配設され、他方が概略Ｓ字状または概略Ｚ字状に配設されていてもよい。
【００５３】
＜第３の変形例＞
前記実施例では、第１および第２の溝２２、２３が概略Ｓ字状になだらかに湾曲している例を示したが（図１、図７参照）、本発明の適用はこれに限定されない。第１、第２の溝２２、２３は、変曲点のない単純な曲線から構成されていてもよく、あるいは、一つのみならず複数の変曲点を有する曲線（たとえば波状の曲線等）から構成されていてもよい。
【００５４】
＜第４の変形例＞
前記実施例および前記第１ないし第３の変形例では、第１の溝２２および第２の溝２３の２本の溝が設けられた例を示したが（図１、図７、図１３、図１４参照）、本発明の適用はこれに限定されず、図１５ないし図１７に示すように、１本の溝のみが設けられたものでもよい。
【００５５】
図１５に示すものでは、概略Ｚ字状の第１の溝２２のみが設けられ、図１６に示すものでは、直線状の第１の溝２２のみが設けられ、図１７に示すものでは、前後方向に延設された概略Ｚ字状の第１の溝２２’が設けられている。別の言い方をすれば、図１５に示すものでは、図１３に示す第１の変形例において第１の溝２２のみが設けられており、図１６に示すものでは、図１４に示す第２の変形例において第１の溝２２のみが設けられており、図１７に示すものでは、図１３に示す第１の変形例において、内甲側領域では第１の溝２２のみが設けられかつ外甲側領域では第２の溝２３のみが設けられるとともに、これらの溝２２、２３が斜め前方に延びる直線状の溝で連結されることにより、全体として第１の溝２２’のみが設けられている。
【００５６】
＜第５の変形例＞
前記実施例および前記第１ないし第３の変形例では、第１の溝２２および第２の溝２３の２本の溝が設けられた例を示したが（図１、図７、図１３、図１４参照）、本発明の適用はこれに限定されず、さらに第３の溝が設けられていてもよく、あるいは４本以上の溝が設けられていてもよい。
【００５７】
＜第６の変形例＞
前記実施例では、第１および第２の溝２２、２３の横断面形状に関し、内甲側端および外甲側端では概略矩形状または概略台形状の横断面形状を有し（図２、図３参照）、幅方向中央領域では半円状の横断面形状を有している例を示したが（図５参照）、各溝２２、２３の断面形状は任意の形状を採用し得る。各溝２２、２３の深さについても、ミッドソール２の厚みに応じた任意の深さを採用し得る。
【００５８】
＜第７の変形例＞
前記実施例では、第１および第２の溝２２、２３の幅に関し、内甲側端から外甲側端にかけての全経路にわたって略一定に形成された例を示したが（図１、図７参照）、溝幅は経路の途中で変化してもよい。また、溝幅の寸法としては、たとえば５〜１２ｍｍが採用されるが、これに限定されるものではない。
【００５９】
＜第８の変形例＞
前記実施例では、ソール構造体１がクリーツ（スパイク）を有するスパイクシューズを例にとって説明したが、本発明はソール構造体がクリーツを有しないスパイクレスシューズにも同様に適用可能である。
【００６０】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【産業上の利用可能性】
【００６１】
以上のように、本発明は、ゴルフシューズのソール構造体に有用である。
【符号の説明】
【００６２】
１：  ソール構造体
２：  ミッドソール
２２：  第１の溝
２２Ｍ：  内甲側端
２２Ｌ：  外甲側端
２３：  第２の溝
２３Ｍ：  内甲側端
２３Ｌ：  外甲側端
３：  アウトソール
４０〜４６：  クリーツ取付部
ＴＥ：  拇指球部領域
ＨＥ：  子指球部領域
ＳＴ：  載距突起
ＤＰ５：  第５趾末節骨
ＣＬ：  前後方向中心線
Ｓ：  ゴルフシューズ  
【先行技術文献】
【特許文献】
【００６３】
【特許文献１】特開２００１−２２４４０４号公報（段落［００１７］、［００２１］、［００２３］および［００２４］、ならびに図１参照）
【図１】
2016209482.tif 000003
【図２】
2016209482.tif 000004
【図３】
2016209482.tif 000005
【図４】
2016209482.tif 000006
【図５】
2016209482.tif 000007
【図６】
2016209482.tif 000008
【図７】
2016209482.tif 000009
【図８】
2016209482.tif 000010
【図９】
2016209482.tif 000011
【図１０】
2016209482.tif 000012
【図１１】
2016209482.tif 000013
【図１２】
2016209482.tif 000014
【図１３】
2016209482.tif 000015
【図１４】
2016209482.tif 000016
【図１５】
2016209482.tif 000017
【図１６】
2016209482.tif 000018
【図１７】
2016209482.tif 000019
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
ゴルフシューズのソール構造体であって、
軟質弾性部材から構成されたミッドソールと、
前記ミッドソールの下側に配置され、前記軟質弾性部材よりも高硬度の硬質弾性部材から構成されたアウトソールとを備え、
前記アウトソールが、着用者の足の拇指球部領域と子指球部領域の間を通りかつ内甲側から外甲側に向かって実質的に斜め前方に延びる第１の溝と、前記第１の溝の前方に配置されかつ内甲側から外甲側に向かって実質的に斜め前方に延びる第２の溝とを有し、前記第１および第２の溝によって当該アウトソールがそれぞれ前後方向に分断されかつ分断された各アウトソールが前記ミッドソールを介して互いに連結されており、
前記第１および第２の溝が、内甲側に配置されかつ内甲側端に開口する内甲側溝部と、前記内甲側溝部よりも前方において外甲側に配置されかつ前記内甲側端よりも前方の外甲側端に開口する外甲側溝部と、前記内甲側溝部および前記外甲側溝部の間の中央側に配置されかつこれらの溝部を連結する中央側溝部とをそれぞれ有しており、前記内甲側溝部が足の第１および第２中足趾節関節と交差する方向に沿って延びるとともに、前記中央側溝部が前記内甲側溝部および前記外甲側溝部よりもソール前後方向により傾斜して配設されている、
ことを特徴とするゴルフシューズのソール構造体。
【請求項２】
請求項１において、
前記第１および第２の溝の少なくともいずれか一方が概略Ｓ字状に湾曲しつつ配設されている、
ことを特徴とするゴルフシューズのソール構造体。
【請求項３】
請求項１において、
前記第１および第２の溝の少なくともいずれか一方が概略逆Ｚ字状に屈曲しつつ配設されている、
ことを特徴とするゴルフシューズのソール構造体。
【請求項４】
請求項１において、
前記第１の溝の前記内甲側溝部の前記内甲側端の位置が、足の踵骨の載距突起に対応する位置から拇指球部領域の後側周縁部に対応する位置までの領域内に配置されており、前記第１の溝の前記外甲側溝部の前記外甲側端の位置が、子指球部領域の前側周縁部に対応する位置から第１趾末節骨の先端位置と同じ前後方向位置に至る領域内に配置されている、
ことを特徴とするゴルフシューズのソール構造体。
【請求項５】
請求項１において、
当該ソール構造体の内旋時の捩り剛性が外旋時の捩り剛性よりも小さくなっている、
ことを特徴とするゴルフシューズのソール構造体。
【請求項６】
請求項１において、
前記アウトソールが、拇指球部領域に対応する位置および子指球部領域に対応する位置にそれぞれクリーツを有している、
ことを特徴とするゴルフシューズのソール構造体。
【請求項７】
請求項１において、
前記ミッドソールが、前記第１および第２の溝にそれぞれ対応する溝を有しており、これらの溝が一対の側壁部をそれぞれ有するとともに、各側壁部が前記第１および第２の溝に挿入されている、
ことを特徴とするゴルフシューズのソール構造体。
【手続補正２】
【補正対象書類名】明細書
【補正対象項目名】０００６
【補正方法】変更
【補正の内容】
【０００６】
本発明に係るゴルフシューズのソール構造体は、軟質弾性部材から構成されたミッドソールと、ミッドソールの下側に配置されかつ前記軟質弾性部材よりも高硬度の硬質弾性部材から構成されたアウトソールとを備えている。アウトソールは、着用者の足の拇指球部領域と子指球部領域の間を通りかつ内甲側から外甲側に向かって実質的に斜め前方に延びる第１の溝と、第１の溝の前方に配置されかつ内甲側から外甲側に向かって実質的に斜め前方に延びる第２の溝とを有し、第１および第２の溝によってアウトソールがそれぞれ前後方向に分断されかつ分断された各アウトソールがミッドソールを介して互いに連結されており、第１および第２の溝が、内甲側に配置されかつ内甲側端に開口する内甲側溝部と、内甲側溝部よりも前方において外甲側に配置されかつ内甲側端よりも前方の外甲側端に開口する外甲側溝部と、内甲側溝部および外甲側溝部の間の中央側に配置されかつこれらの溝部を連結する中央側溝部とをそれぞれ有しており、内甲側溝部が足の第１および第２中足趾節関節と交差する方向に沿って延びるとともに、中央側溝部が内甲側溝部および外甲側溝部よりもソール前後方向により傾斜して配設されている（請求項１参照）。
【手続補正３】
【補正対象書類名】明細書
【補正対象項目名】０００７
【補正方法】変更
【補正の内容】
【０００７】
本発明によれば、アウトソールの第１の溝が、足の拇指球部領域と子指球部領域の間を通り、内甲側端からその前方の外甲側端に向かって実質的に斜め前方に延びているので、スイング時の蹴り足の内旋の際に蹴り足の拇指球部が接地した状態で後足部および子指球部が離地しようとしたとき、後足部および子指球部の上方への変形を第１の溝に沿ってスムーズに行うことができ、これにより、蹴り足の動作を阻害することなく、蹴り足の内旋を促進でき、その結果、スムーズな体重移動を実現できるようになる。しかも、本発明では、第１の溝が内甲側端および外甲側端に開口しているので、後足部および子指球部の上方への変形をよりスムーズに行える。さらに、本発明では、第１の溝によってアウトソールが分断されるとともに、分断された各アウトソールが軟質弾性部材製のミッドソールを介して連結されているので、後足部および子指球部の上方への変形を一層スムーズに行えるようになる。
【手続補正４】
【補正対象書類名】明細書
【補正対象項目名】０００８
【補正方法】変更
【補正の内容】
【０００８】
また、本発明によれば、第１の溝が内甲側端から外甲側端に向かって実質的に斜め前方に延びていることにより、スイング時に軸足が外旋を起こそうとして軸足の拇指球部を含む内甲側領域が上方に変形しようとした場合でも、そのような変形を起こしやすい方向に第１の溝が配設されていないので、軸足の外旋を防止して軸足の捲れを防止でき、その結果、スイングを安定して行えるようになる。しかも、本発明によれば、第１の溝の外甲側端の位置が内甲側端の位置よりも前方に配置されているので、スイング時の蹴り足の内旋をよりスムーズに行えるようになるとともに、軸足の外旋をより効果的に防止できるようになる。
【手続補正５】
【補正対象書類名】明細書
【補正対象項目名】０００９
【補正方法】変更
【補正の内容】
【０００９】
さらに、本発明によれば、スイング時の蹴り足の内旋の際には、後足部および子指球部の上方への変形が第１の溝に沿って行われるとともに、第１の溝の前方の第２の溝に沿っても行われるので、蹴り足の内旋を段階的によりスムーズに行えるようになる。また、第２の溝に関しても、第１の溝と同様に、内甲側端および外甲側端に開口しており、さらに第２の溝によって分断された各アウトソールが軟質弾性部材製のミッドソールを介して連結されているので、後足部および子指球部の上方への変形をより一層スムーズに行えるようになる。その一方、第２の溝についても、内甲側端からその前方の外甲側端に向かって実質的に斜め前方に延びており、スイング時の軸足の外旋を起こしやすい方向に配設されていないので、第２の溝を設けたことでスイング時の軸足の外旋が助長されることはなく、第１の溝と同様に、軸足の外旋を防止して軸足の捲れを防止できる。また、第２の溝の外甲側端の位置が内甲側端の位置よりも前方に配置されているので、スイング時の蹴り足の内旋をよりスムーズに行えるようになるとともに、軸足の外旋をより効果的に防止できるようになる。
【手続補正６】
【補正対象書類名】明細書
【補正対象項目名】００１０
【補正方法】変更
【補正の内容】
【００１０】
本発明では、第１および第２の溝の少なくともいずれか一方が概略Ｓ字状に湾曲しつつ配設されている（請求項２参照）。
【手続補正７】
【補正対象書類名】明細書
【補正対象項目名】００１１
【補正方法】変更
【補正の内容】
【００１１】
本発明では、第１および第２の溝の少なくともいずれか一方が概略逆Ｚ字状に屈曲しつつ配設されている（請求項３参照）。
【手続補正８】
【補正対象書類名】明細書
【補正対象項目名】００１２
【補正方法】変更
【補正の内容】
【００１２】
本発明では、第１の溝の内甲側溝部の内甲側端の位置が、足の踵骨の載距突起に対応する位置から拇指球部領域の後側周縁部に対応する位置までの領域内に配置されており、第１の溝の外甲側溝部の外甲側端の位置が、子指球部領域の前側周縁部に対応する位置から第１趾末節骨の先端位置と同じ前後方向位置に至る領域内に配置されている（請求項４参照）。
【手続補正９】
【補正対象書類名】明細書
【補正対象項目名】００１３
【補正方法】変更
【補正の内容】
【００１３】
本発明では、ソール構造体の内旋時の捩り剛性が外旋時の捩り剛性よりも小さくなっている（請求項５参照）。これにより、スイング時の蹴り足の内旋をよりスムーズに行えるようになるとともに、軸足の外旋をより効果的に防止できる。
【手続補正１０】
【補正対象書類名】明細書
【補正対象項目名】００１４
【補正方法】変更
【補正の内容】
【００１４】
本発明では、アウトソールが、拇指球部領域に対応する位置および子指球部領域に対応する位置にそれぞれクリーツを有している（請求項６参照）。
【手続補正１１】
【補正対象書類名】明細書
【補正対象項目名】００１５
【補正方法】変更
【補正の内容】
【００１５】
本発明では、ミッドソールが、第１および第２の溝にそれぞれ対応する溝を有しており、これらの溝が一対の側壁部をそれぞれ有するとともに、各側壁部が第１および第２の溝に挿入されている（請求項７参照）。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
以上のように、本発明に係るゴルフシューズのソール構造体によれば、足の拇指球部領域と子指球部領域の間を通りかつ実質的に斜め前方に延びる第１の溝と、その前方に配置されかつ実質的に斜め前方に延びる第２の溝とをアウトソールに設けるようにしたので、スイング時の蹴り足の内旋の際に蹴り足の拇指球部が接地した状態で後足部および子指球部が離地しようとしたとき、後足部および子指球部の上方への変形を第１および第２の溝に沿ってスムーズに行うことができ、これにより、蹴り足の動作を阻害することなく、蹴り足の内旋を促進でき、その結果、スムーズな体重移動を実現できるようになる。しかも、本発明では、第１および第２の溝が内甲側端および外甲側端に開口しているので、後足部および子指球部の上方への変形をよりスムーズに行える。さらに、本発明では、第１および第２の溝によってアウトソールが分断されるとともに、分断された各アウトソールが軟質弾性部材製のミッドソールを介して連結されているので、後足部および子指球部の上方への変形を一層スムーズに行えるようになる。また、本発明では、第１および第２の溝が内甲側端から外甲側端に向かって実質的に斜め前方に延びているので、スイング時に軸足の外旋を防止して軸足の捲れを防止でき、その結果、スイングを安定して行えるようになる。